(57)【要約】      （修正有）【課題】キャップへの内蓋の組付ラインを簡略化して、コストを低減するとともに、景品類の収容時における製品不良の発生を防止でき、かつ取扱作業および保管管理の向上、および美観性を良好にし、消費者に対する景品類の認知度を高めることができるようにする。【解決手段】缶容器１の上端部１ａに係脱自在に嵌着可能なキャップ３と、このキャップ３の外周面に装着される短冊状部材４とからなる。短冊状部４は、短冊部１０と、この短冊部１０に折曲片を介して一体に連設された内蓋５とよりなり、短冊部１０をキャップ３の外周面に巻付けた状態において、内蓋５を、折曲片を介して、内部空間に景品類Ｗを収容したキャップ３の開口端内に折込むように嵌入係止させることにより、キャップ３の開口端を閉塞するとともに、この開口端をもって、キャップ３を缶容器１に嵌着しうるようにする。【選択図】図２
2010280417.tif 000002
【特許請求の範囲】
【請求項１】
内部空間に景品類を収容することができるとともに、少なくとも１つの缶容器の上端部または下端部に係脱自在に嵌着可能であり、かつ一端が閉塞され、他端が開口されたキャップと、このキャップの外周面に装着される短冊状部材とからなり、前記短冊状部材は、少なくとも短冊部と、この短冊部に折曲片を介して一体に連設された内蓋とよりなり、前記短冊部をキャップの外周面に巻付けた状態において、前記内蓋を、折曲片を介して、景品類を収容したキャップの開口端内に折込むように嵌入係止させることにより、キャップの開口端を閉塞するとともに、この開口端をもって、キャップを缶容器に嵌着しうるようにしたことを特徴とする景品収容用容器。
【請求項２】
キャップを、透明な合成樹脂製とするとともに、短冊状部材を、両面印刷可能な紙製とした請求項１記載の景品収容用容器。
【請求項３】
短冊状部材の短冊部を、展開状態から環状に折り曲げた際に、その長手方向の両端を互いに連結可能にするとともに、短冊部を前記キャップの外周面に巻付け、短冊部に連設された内蓋を、折曲片を介して、景品類を収容したキャップの開口端内に折込むように嵌入係止させた際に、前記折曲片が係合可能な切欠部を、キャップの開口端の外周に形成した請求項１または２記載の景品収容用容器。
【請求項４】
短冊状部材の短冊部に、キャップの開口端内に嵌入係止された内蓋の内側に折込まれる係止舌片を、折曲片を介して、一体に連設して形成するとともに、短冊部を前記キャップの外周面に巻付け、前記折曲片を内蓋の内側に折込んだ際に、この係止舌片の折曲片が係合可能な切欠部を、キャップの開口端の外周に形成した請求項１〜３のいずれかに記載の景品収容用容器。
【請求項５】
キャップにおける内周面の開口端側に、複数の突起を周方向に離間して設けるとともに、これら各突起に、前記キャップの開口端内に折込み嵌入される内蓋における外周端縁の上面または下面を係止させるようにした請求項１〜４のいずれかに記載の景品収容用容器。
【請求項６】
キャップの内周面に、上下方向に沿う補強リブを周方向に離間して設けるとともに、これら各補強リブの下端または上端に、前記キャップの開口端内に折込み嵌入される内蓋における外周端縁の上面または下面を係止させるようにした請求項１〜５のいずれかに記載の景品収容用容器。
【発明の詳細な説明】
【技術分野】
【０００１】
本発明は、景品収容用容器に関し、詳しくは、例えば缶容器に飲料等が収容された缶商品類を販売する場合に、景品類を収容して前記缶容器に装着される景品収容用容器に関する。
【背景技術】
【０００２】
例えばコンビニエンスストアなどの陳列棚に整列配置されて販売されるコーヒー、ジュース類やビール等の各種飲料をアルミ缶やスチール缶などの缶容器に収容した、いわゆる缶コーヒー、缶ジュース、缶ビールなどの缶商品類は、各メーカ間において、熾烈な販売競争が行われている。
【０００３】
一方、商品に景品類を付して販売することは、古くから公知であるが、特に、缶商品類に景品類を付すには、消費者に景品類の内容が判るように透明な合成樹脂製袋やケース等に収容した景品収容物を、缶容器に嵌着されるキャップに、取付具をもって取り付けたもの（特許文献１参照）や、キャップ自体を景品収容用容器とし、その収容空間に、透明な合成樹脂製袋で包装した景品類を収容して、缶容器に直接嵌着する（特許文献２参照）ことにより行われている。
【０００４】
しかし、特許文献１に記載のものは、キャップに、合成樹脂製袋等を取り付ける作業に手数を要するばかりでなく、缶商品類の運送および保管中に、景品類を収容した合成樹脂製袋等が邪魔になったり、キャップから離脱して紛失し易く、取扱作業および保管管理が困難であるという問題がある。
【０００５】
一方、特許文献２に記載の景品収容用容器は、合成樹脂製の直方体からなる有底筒状のキャップを、缶容器の上端部に着脱可能に嵌着して装着する前に、キャップ内に、合成樹脂製袋で包装した景品類を、景品取扱いや機能などの説明書と共に収容した後、キャップの内底部に、底板となる合成樹脂製の内蓋を嵌入係止して組み付けることにより、缶容器からキャップを離脱させる際に、景品類の落下を防止するようになっている。
【０００６】
しかし、特許文献２に記載のものでは、キャップおよび内蓋が合成樹脂のために直印刷できないことから、内蓋の組付後に、景品内容の告知手段として、直方体からなるキャップの外側面に、景品類の告知内容に関する説明等を印刷したシールを、それぞれ貼り付けているため、キャップへの組付工程が、内蓋の組付ラインとシールの貼着ラインとの２ラインとなり、人海作業による前記各工程が複雑となるばかりでなく、シール貼着面に付着される糊の粘着力の変化を管理する必要があり、コスト高となる。
また、前記工程の複雑化により、シールの「貼り忘れ」、「曲がり」、「傾き」、「食み出し」、「天地逆」あるいは内蓋の「嵌め忘れ」などの不良品の他に、皺やシール浮きが生じ易く、美観性を損ねるばかりでなく、特に、シールの一部がキャップの定位置から食み出して貼着されたものでは、その露出する貼着面に塵や髪の毛等が付着して、消費者に不潔感を与える。
さらに、景品付き缶容器を陳列棚に整列配置した場合、缶容器の繰出し時に、缶容器が回転し易いため、キャップの外側面に貼着したシールの印刷面が、横向きまたは後向きになって、消費者の正面位置から視認できなくなる虞があり、消費者に対する景品類の認知度を低下させるという問題があった。
【先行技術文献】
【特許文献】
【０００７】
【特許文献１】特開２００５−１４５５３１号公報
【特許文献２】特開２００７−１１２４６７号公報
【発明の概要】
【発明が解決しようとする課題】
【０００８】
本発明は、前記の現状に鑑み、キャップへの内蓋の組付ラインを簡略化して、コストを低減するとともに、景品の収容時における製品不良の発生を防止でき、かつ取扱作業および保管管理の向上、および美観性を良好にし、消費者に対する景品類の認知度を高めることができるようにした景品収容用容器を提供することを目的とする。
【課題を解決するための手段】
【０００９】
上記課題は、「特許請求の範囲」の欄における各請求項に記載するように、次のような構成からなる発明によって解決される。
（１）  内部空間に景品類を収容することができるとともに、少なくとも１つの缶容器の上端部または下端部に係脱自在に嵌着可能であり、かつ一端が閉塞され、他端が開口されたキャップと、このキャップの外周面に装着される短冊状部材とからなり、前記短冊状部材は、少なくとも短冊部と、この短冊部に折曲片を介して一体に連設された内蓋とよりなり、前記短冊部をキャップの外周面に巻付けた状態において、前記内蓋を、折曲片を介して、景品類を収容したキャップの開口端内に折込むように嵌入係止させることにより、キャップの開口端を閉塞するとともに、この開口端をもって、キャップを缶容器に嵌着しうるようにしたことを特徴とする景品収容用容器である。
【００１０】
(２)  上記(１)項において、キャップを、透明な合成樹脂製とするとともに、短冊状部材を、両面印刷可能な紙製とする。
【００１１】
(３)  上記(１)項または（２）項において、短冊状部材の短冊部を、展開状態から環状に折り曲げた際に、その長手方向の両端を互いに連結可能にするとともに、短冊部を前記キャップの外周面に巻付け、短冊部に連設された内蓋を、折曲片を介して、景品類を収容したキャップの開口端内に折込むように嵌入係止させた際に、前記折曲片が係合可能な切欠部を、キャップの開口端の外周に形成する。
【００１２】
(４)  上記（１）〜（３）項のいずれかにおいて、短冊状部材の短冊部に、キャップの開口端内に嵌入係止された内蓋の内側に折込まれる係止舌片を、折曲片を介して、一体に連設して形成するとともに、短冊部を前記キャップの外周面に巻付け、前記折曲片を内蓋の内側に折込んだ際に、この係止舌片の折曲片が係合可能な切欠部を、キャップの開口端の外周に形成する。
【００１３】
（５）  上記（１）〜（４）項のいずれかにおいて、キャップにおける内周面の開口端側に、複数の突起を周方向に離間して設けるとともに、これら各突起に、前記キャップの開口端内に折込み嵌入される内蓋における外周端縁の上面または下面を係止させるようにする。
【００１４】
（６）  上記（１）〜（５）項のいずれかにおいて、キャップの内周面に、上下方向に沿う補強リブを周方向に離間して設けるとともに、これら各補強リブの下端または上端に、前記キャップの開口端内に折込み嵌入される内蓋における外周端縁の上面または下面を係止させるようにする。
【発明の効果】
【００１５】
本発明によると、次のような効果が奏せられる。
請求項１記載の発明によれば、短冊状部材の短冊部をキャップの外周面に巻付けた状態において、短冊部に折曲片を介して一体に連設された内蓋を、折曲片を介して、景品類を収容したキャップの開口端内に折込むように嵌入係止させることにより、キャップの開口端を閉塞するとともに、この開口端をもって、キャップを缶容器に嵌着しうるようにしてあるため、キャップに景品を収容した後、キャップへの短冊状部材の巻き付け工程と、キャップの開口端内への内蓋の折込み工程とが連続して一工程のように行うことができ、組付ラインを簡略化できるとともに、コストを低減できる。
また、短冊状部材に景品類についての告示や取扱説明書等の情報を印刷することにより、景品収容時における取扱説明書等の収容や、シール貼りの必要がなくなるため、従来のように、シールの「貼り忘れ」、「曲がり」、「傾き」、「食み出し」などの製品不良や、塵や髪の毛等の付着、皺やシール浮きの発生を防止することができるとともに、美観性を良好にすることができる。
さらに、シールに要する糊の管理を行う必要がないため、取扱作業および保管管理の向上を図ることができる。
また、キャップの外周面に、印刷された短冊状部材が巻き付けられているため、缶容器が回転しても、キャップの全周が印刷面となっていることから、すべての角度から景品内容等を告知する印刷面を容易に視認することができ、消費者に対する景品類の認知度を高めることができる。
【００１６】
請求項２記載の発明によれば、キャップを、透明な合成樹脂製とするとともに、短冊状部材を、両面印刷可能な紙製としてあるため、景品類の認知度を高めることができるとともに、短冊状部材として、和紙などの特殊な紙を使用することができる。
【００１７】
請求項３記載の発明によれば、短冊状部材の短冊部をキャップの外周面に巻付けた際に、内蓋を、キャップの開口端内に容易に折込み嵌入することができ、キャップへの内蓋の組付作業を容易に行えるとともに、内蓋の折曲部を切欠部に係合させることにより、キャップの周方向に対する短冊状部材のずれを防止することができる。
【００１８】
請求項４記載の発明によれば、短冊部をキャップの外周面に巻付けた際に、係止舌片を内蓋の内側に折込むため、キャップに対する短冊状部材の上方への抜落ちを、内蓋と共に防止することができるとともに、係止舌片の折曲部を切欠部に係合させることにより、キャップの周方向に対する短冊状部材のずれを防止することができる。
【００１９】
請求項５記載の発明によれば、内蓋の組付作業を容易にかつ安定して行える。
【００２０】
請求項６記載の発明によれば、キャップの強度を高めることができるとともに、キャップの開口端内に嵌入される内蓋の施蓋状態における上方への移動を規制することができ、内蓋を、より安定してキャップに組み付けることができる。
発明の具体的な内容は、次の通りである。
【図面の簡単な説明】
【００２１】
【図１】本発明における第１実施形態の景品収容用容器を缶容器に装着した状態を示す斜視図である。（実施例１）
【図２】図１の要部拡大縦断面図である。
【図３】図２におけるIII−III線の縦断面図である。
【図４】キャップの下方視拡大斜視図である。
【図５】短冊状部材の展開斜視図である。
【図６】景品収容用容器の組付状態を示す分解斜視図である。
【図７】本発明における第２実施形態の景品収容用容器を、２個の缶容器に装着した状態を示す斜視図である。（実施例２）
【図８】図７の要部拡大縦断面図である。
【図９】図８におけるIX−IX線の縦断面図である。
【図１０】キャップの下方視拡大斜視図である。
【図１１】短冊状部材の展開斜視図である。
【発明を実施するための形態】
【００２２】
以下、本発明の実施形態を、図面に基づいて説明する。
図１は、本発明における第１実施形態の景品収容用容器を缶容器に装着した状態を示す斜視図、図２は、図１の要部拡大縦断面図、図３は、図２におけるIII−III線の縦断面図、図４は、キャップの下方視拡大斜視図、図５は、短冊状部材の展開斜視図である。
【実施例１】
【００２３】
図１〜図５に示すように、例えばコーヒー飲料が収容された缶コーヒー等の円筒状をなす缶容器１には、内部空間に景品類Ｗが収容された、本発明の景品収容用容器２が着脱可能に装着されている。
【００２４】
景品収容用容器２は、前記缶容器１の上端部１ａに係脱自在に嵌着される、上端が閉塞され、その底部側の下端が開口された透明な合成樹脂製のキャップ３を備えるとともに、このキャップ３の外周面に沿って、片面もしくは両面に景品類Ｗの取扱いおよび機能等の説明を印刷した厚紙製の短冊状部材４が取り付けられている。
この短冊状部材４には、前記キャップ３の底部側の開口端を閉塞するように折り込まれる内蓋５が、一体に連設して形成されている。
【００２５】
キャップ３における底部側の開口端内の内周面には、図４に示すように、周方向に等間隔をもって複数の逆止爪状の係止爪６が内側に向けて突設されているとともに、これらの係止爪６は、キャップ３を缶容器１の上端部１ａに嵌着した際に、缶容器１における上端部１ａの外周に環状に突出させた口金縁部１ｂに脱着可能に係止しうるようになっている。
【００２６】
キャップ３の底部側における開口端内の内周面には、周方向に等間隔をもって複数の係止突起７が、前記各係止爪６よりも上方に位置しうるように離間させて、内側に向けて突設されているとともに、これらの係止突起７には、キャップ３の底部側の開口端内に嵌入される内蓋５の外周端縁部５ａの下面が係止可能になっている。
【００２７】
キャップ３の内周面には、上下方向に沿う２種類の補強リブ８，９が、それぞれ周方向に離間して複数形成されており、一方の補強リブ８は、キャップ３の外側から内側に向けて膨出状態で突出させ、他方の補強リブ９は、キャップ３の内周面から内側に向けて舌片状に突出させて形成されている。
各補強リブ８，９の下端には、前記キャップ３の開口端内に嵌入される内蓋５の外周端縁５ａの上面が係止可能になっており、これにより、施蓋状態における内蓋５の上方への移動が規制されるようになっている。
【００２８】
図５に示すように、短冊状部材４は、帯状の短冊部１０に、この短冊部１０をキャップ３の外周面に巻き付けた際に、キャップ３の底部側の開口端内に折込むように嵌入される内蓋５が、切起し可能な折曲片５ｂを介して一体に連設して形成されているとともに、短冊部１０の長手方向の一端には、突片１１が形成され、その他端には、前記突片１１が差込み係合可能なスリット状の係止孔１２が形成されている。
【００２９】
この短冊状部材４は、後記するように、短冊部１０を環状にして、突片１１と係止孔１２とを、互いに係合させた後に、キャップ３の外周面に嵌め込むことにより、容易にキャップ３に取り付けられるようになっている。
【００３０】
短冊部１０には、半円形の係止舌片１３が、切起し可能な折曲片１４を介して一体に連設して形成されているとともに、この係止舌片１３は、短冊部１０をキャップ３の外周面に巻付けた際に、前記内蓋５と、キャップ３の中心に対して、互いにほぼ対称位置となるように配置され、かつ内蓋５に対して内側に折り込まれるようになっている。
【００３１】
キャップ３の下端には、切欠部１５，１６がそれぞれ形成されている。
これらの切欠部１５，１６は、短冊状部材４の短冊部１０をキャップ３の外周面に巻付けた際に、内蓋５と係止舌片１３との折曲片５ｂ，１４が、それぞれ対応しうるような位置に設けられているとともに、内蓋５と係止舌片１３とをキャップ３の内底部に向けて折り込んだ際に、前記各折曲片５ｂ，１４が、前記切欠部１５，１６にそれぞれ係合可能になっている。
【００３２】
なお、内蓋５には、図５に示すように、切起片１７が形成されており、この切起片１７は、キャップ３内に収容された景品類Ｗを取り出す際に、指等によってキャップ３内に押込んで、指等を差込み可能にするか、あるいは手前に切り起して、摘みとすることにより、内蓋５の開蓋が容易となるようにしている。
【００３３】
図６は、景品収容用容器の組付状態を示す分解斜視図である。
【００３４】
図６に示すように、本発明における景品収容用容器２の組立手順は、キャップ３を、その底部側の開口端が上向きとなるようにした状態で、透明な袋で包まれた景品類Ｗを、天地逆にして、キャップ３の内部空間に収容する。
【００３５】
次いで、景品Ｗの収容後のキャップ３の外周面に短冊状部材４の短冊部１０を巻き付ける前に、短冊部１０を、その長手方向の両端部に形成した突片１１と係止孔１２とを互いに係止させることにより、環状に連結した後、天地逆にしてキャップ３の外周面に嵌め込むとともに、内蓋５の折曲片５ｂと係止舌片１３の折曲片１４とを、キャップ３の切欠部１５，１６にそれぞれ対応させて位置決めする。
【００３６】
次いで、係止舌片１３を、その折曲片１４が切欠部１６に係合しうるように、キャップ３の内底部に向けて折曲した後、内蓋５を、その折曲片５ｂが切欠部１５に係合しうるように、キャップ３の開口端内に向けて折曲することにより、係止舌片１３が内蓋５の内側となるようにして、キャップ３の開口端内に嵌入するとともに、内蓋５の外周端縁部５ａが、キャップ３の内周面に突設した各係止突起７を乗り越えるように押し込むことにより、内蓋５における外周端縁部５ａの下面を係止突起７に係止させるようにして組立てる。
【実施例２】
【００３７】
図７は、本発明における第２実施形態の景品収容用容器を、２個の缶容器に装着した状態を示す斜視図、図８は、図７の要部拡大縦断面図、図９は、図８におけるIX−IX線の縦断面図、図１０は、キャップの下方視拡大斜視図、図１１は、短冊状部材の展開斜視図である。
【００３８】
図７〜図１０に示すように、景品収容用容器１８は、透明な合成樹脂製のキャップ１９が、互いに隣設する２つの缶容器１，１の上端部１ａ，１ａを跨いで包括しうるように嵌着可能な形態をもって形成されている。
【００３９】
キャップ１９における底部側の開口端縁の内面には、複数の逆止爪状の係止爪２０が、２つの缶容器１，１における隣設方向の両端部と中央部に形成されており、これらの係止爪２０は、互いに隣接する缶容器１の上端部１ａの外周に環状に突出させた口金縁部１ｂに係脱自在に係止しうるようになっている。
【００４０】
キャップ１９における底部側の開口端内の内周面には、前記各係止爪２０よりも上方に位置する複数の係止突起２１が、周方向に内側に向けて突設されているとともに、これらの係止突起２１には、後記するキャップ１９の外周面に巻き付けられる厚紙製の短冊状部材２２の短冊部２３に連設した内蓋２４をキャップ１９の底部側の開口端内に嵌入した際に、内蓋２４における外周端縁部２４ａの下面が係止可能になっている。
【００４１】
短冊状部材２２は、図１１に示すように、片面もしくは両面に景品類Ｗの取扱いおよび機能等の説明が連続的に印刷された帯状の短冊部２３と、この短冊部２３にそれぞれ一体に連設して形成された内蓋２４および半円形の係止舌片２５とを備えている。
【００４２】
短冊部２３は、キャップ１９の外周面に巻き付けた際に、キャップ１９の底部側の開口端内に向けて折込むように嵌入される内蓋２３と係止舌片２４とが、切起し可能な折曲片２６，２７を介して、それぞれ一体に連設して形成されているとともに、その長手方向の両端部は、突片２８と、この突片２８と差込み係合可能なスリット状の係止孔２９とによって、前記短冊状部材２１を環状に連結可能になっている。
【００４３】
係止舌片２５は、短冊状部材２２の短冊部２３をキャップ１９の外周面に巻付けた際に、内蓋２４と、キャップ１９の中心に対して互いにほぼ対称位置となるように配置され、かつ内蓋２４に対して内側に折り込まれるようになっている。
【００４４】
キャップ１９における底部側の開口端縁には、切欠部３０，３１がそれぞれ形成されている。
これらの切欠部３０，３１には、短冊部２３をキャップ１９の外周面に巻付けて、内蓋２４と係止舌片２５とをキャップ１９の内底部に折り込んだ際に、各折曲片２６，２７が対応して係合しうるようになっている。
【００４５】
すなわち、第２実施形態の景品収容用容器１８は、キャップ１９を、互いに隣設する２つの缶容器１，１の上端部１ａ，１ａを跨いで包括しうるように嵌着可能な形態とすることによって、景品類Ｗの収容空間を拡大させることができ、大型の景品類を収容することができる。
【符号の説明】
【００４６】
１    缶容器
１ａ  上端部
１ｂ  口金縁部
２    景品収容用容器
３    キャップ
４    短冊状部材
５    内蓋
５ａ  外周端縁部
５ｂ  折曲片
６    係止爪
７    係止突起
８    補強リブ
９    補強リブ
１０  短冊部
１１  突片
１２  係止孔
１３  係止舌片
１４  折曲片
１５  切欠部
１６  切欠部
１７  切起片
１８  景品収容用容器
１９  キャップ
２０  係止爪
２１  係止突起
２２  短冊状部材
２３  短冊部
２４  内蓋
２４ａ  外周端縁部
２５  係止舌片
２６  折曲片
２７  折曲片
２８  突片
２９  係止孔
３０  切欠部
３１  切欠部
Ｗ    景品類
【図１】
2010280417.tif 000003
【図２】
2010280417.tif 000004
【図３】
2010280417.tif 000005
【図４】
2010280417.tif 000006
【図５】
2010280417.tif 000007
【図６】
2010280417.tif 000008
【図７】
2010280417.tif 000009
【図８】
2010280417.tif 000010
【図９】
2010280417.tif 000011
【図１０】
2010280417.tif 000012
【図１１】
2010280417.tif 000013